(57)【要約】【課題】積雪量に対応して、通行可能な分割式門扉を備える外柵を提供する。【解決手段】外柵１００は、地面から立脚する複数の柱脚１ａ〜１ｄの間に等間隔に配置された垂直部材１ｖと、これらの垂直部材１ｖを掛け渡すように支持する一組以上の水平部材１ｈ・１ｈで構成されたユニット外柵３０の一部に分割式門扉１０を備える。分割式門扉１０は、一対の柱脚１ａ・１ｂが共有され、所定の通行幅を設ける一対の門柱と、これらの門柱の間に配置され、高さ方向に積み重ねられた複数の柵状の分割扉本体１１・１２・１３と、分割扉本体１１・１２・１３を着脱自在に締結する蝶ねじ１ｎと、一対の門柱の長手方向に沿って、分割扉本体１１・１２・１３をスライド可能に案内する案内部材１ｇと、を有する。【選択図】図３
2013019253.tif 000002
【特許請求の範囲】
【請求項１】
地面から立脚する複数の柱脚の間に等間隔に配置された垂直部材と、これらの垂直部材を掛け渡すように支持する一組以上の水平部材で構成された外柵の一部に設けられた分割式門扉であって、
一対の前記柱脚が共有され、所定の通行幅を設ける一対の門柱と、
これらの門柱の間に配置され、高さ方向に積み重ねられた複数の柵状の分割扉本体と、
これらの分割扉本体を着脱自在に締結する締結手段と、
一対の前記門柱の長手方向に沿って、複数の前記分割扉本体をスライド可能に案内する案内部材と、を備える分割式門扉。
【請求項２】
前記分割扉本体は、一対の前記門柱に係合して、前記門柱の所定の高さに停止させる一対のカンヌキ装置を両翼に有する請求項１記載の分割式門扉。
【請求項３】
前記外柵は、上部に水平方向に配置された複数の有刺鉄線を更に備え、
最上段の前記分割扉本体は、複数の前記有刺鉄線を連設するように配置した凹字状の取り付け部材を有する請求項１又は２記載の分割式門扉。
【請求項４】
前記分割扉本体を前記門柱に鎖錠する錠装置を更に有する請求項１から３のいずれかに記載の分割式門扉。
【発明の詳細な説明】
【技術分野】
【０００１】
本発明は、分割式門扉に関する。特に、外柵の一部に設けられ、積雪量に対応して、高さ方向に分割できる門扉の構造に関する。
【背景技術】
【０００２】
例えば、送電所では、市街地や道路に面した境界に外柵を設置して、不特定の人や乗り物などの侵入を防止している。又、この外柵には、許可された者や乗り物などが通行できるように、門扉を一部に備えている。
【０００３】
ところで、積雪地帯などでは、雪かきをしないと、門扉を開閉することが困難になることから、上下方向に分割可能な複数の扉本体を備える開閉式の外周柵門扉が開示されている（例えば、特許文献１参照）。
【０００４】
又、積雪地帯などでは、凍結した雪が地面に設置したレールを埋めることで、門扉をスライドすることが困難になることから、扉本体の撓み量を減少させ、凍結時の門扉を支障なく開閉できるノンレールのスライド式門扉が開示されている（例えば、特許文献１参照）。
【先行技術文献】
【特許文献】
【０００５】
【特許文献１】特開２００１−９０４５４号公報
【特許文献２】特開平８−８６１６９号公報
【発明の概要】
【発明が解決しようとする課題】
【０００６】
しかしながら、特許文献１による開閉式の外周柵門扉は、上下方向に設けた扉本体が前方又は後方に開くように構成されているので、下段の扉本体を越えて積雪すると、上段の扉本体を開閉するために、結局は、雪かきする範囲が広くなるといる問題がある。積雪量に対応して、通行可能な門扉が求められている。
【０００７】
又、特許文献２によるノンレールのスライド式門扉は、扉本体に到達する程度に積雪すると、扉本体をスライドすることが困難になるという問題がある。更に、特許文献２によるノンレールのスライド式門扉は、扉本体を一方の門柱に片持ち状に支持しているので、一方の門柱を太くして強度を増すなどの工事を必要とするという問題がある。積雪量に対応して、通行可能であり、既存の門柱に設置可能な門扉を備える外柵が求められている。
【０００８】
本発明は、このような課題に鑑みてなされたものであり、外柵の一部に設置された門扉であって、積雪量に対応して、通行可能な分割式門扉を提供することを目的とする。
【課題を解決するための手段】
【０００９】
本発明者は、外柵の一部に設置された扉本体が高さ方向に分割して取り外せるように、これらの扉本体を一対の柱脚の間にスライド可能に連結することにより、積雪量に対応して、通行可能であると考え、これに基づいて、以下のような新たな分割式門扉を発明するに至った。
【００１０】
（１）本発明による分割式門扉は、地面から立脚する複数の柱脚の間に等間隔に配置された垂直部材と、これらの垂直部材を掛け渡すように支持する一組以上の水平部材で構成された外柵の一部に設けられた分割式門扉であって、一対の前記柱脚が共有され、所定の通行幅を設ける一対の門柱と、これらの門柱の間に配置され、高さ方向に積み重ねられた複数の柵状の分割扉本体と、これらの分割扉本体を着脱自在に締結する締結手段と、一対の前記門柱の長手方向に沿って、複数の前記分割扉本体をスライド可能に案内する案内部材と、を備える。
【００１１】
（２）前記分割扉本体は、一対の前記門柱に係合して、前記門柱の所定の高さに停止させる一対のカンヌキ装置を両翼に有することが好ましい。
【００１２】
（３）前記外柵は、上部に水平方向に配置された複数の有刺鉄線を更に備え、最上段の前記分割扉本体は、複数の前記有刺鉄線を連設するように配置した凹字状の取り付け部材を有することが好ましい。
【００１３】
（４）本発明による分割式門扉は、前記分割扉本体を前記門柱に鎖錠する錠装置を更に有することが好ましい。
【発明の効果】
【００１４】
本発明による分割式門扉は、外柵の一部に設置された複数の分割扉本体が高さ方向に分割して取り外せるように、複数の分割扉本体を一対の柱脚の間にスライド可能に連結することにより、積雪量に対応して、雪かきすることなく、門扉を通行できる。
【図面の簡単な説明】
【００１５】
【図１】本発明の一実施形態による分割式門扉を備える外柵の構成を示す正面図である。
【図２】前記実施形態による分割式門扉の構成を示す正面図である。
【図３】前記実施形態による分割式門扉の構成を示す斜視図である。
【図４】前記実施形態による分割式門扉の正面図であり、最上段の分割扉本体を取り外した状態図である。
【図５】前記実施形態による分割式門扉の正面図であり、最下段より上の分割扉本体を取り外した状態図である。
【発明を実施するための形態】
【００１６】
以下、図面を参照して本発明を実施するための形態を説明する。
［外柵の構成］
最初に、本発明の一実施形態による外柵の構成を説明する。図１は、本発明の一実施形態による分割式門扉を備える外柵の構成を示す正面図である。
【００１７】
図１を参照すると、本発明の一実施形態による外柵１００は、地面から立脚する複数の柱脚１ａ・１ｂ・１ｃ・１ｄを備えている。一組の柱脚１ａ・１ｂの間には、分割式門扉１０を設置している。一組の柱脚１ｂ・１ｃの間には、開閉式門扉２０を設置している。一組の柱脚１ｃ・１ｄの間には、ユニット外柵３０を設置している。ユニット外柵３０は、分割式門扉１０の左側にも設置している。
【００１８】
図１を参照すると、ユニット外柵３０は、角パイプなどで形成された複数の垂直部材３ｖと角パイプなどで形成された一対の水平部材３ｈ・３ｈが骨組みされている。これらの垂直部材３ｖは、等間隔に配置されている。又、一対の水平部材３ｈ・３ｈは、これらの垂直部材３ｖを掛け渡すように支持している。更に、ユニット外柵３０の上部には、複数の有刺鉄線３ｗを水平方向に配置している。
【００１９】
図１を参照すると、外柵１００は、ユニット外柵３０を連設して、敷地を囲うと共に、不特定の人や乗り物などの侵入を防止している。又、外柵１００は、分割式門扉１０及び開閉式門扉２０を一部に設置して、許可された者や乗り物などが通行できるようにしている。
【００２０】
図１を参照すると、開閉式門扉２０は、複数の垂直部材２ｖと一対の水平部材２ｈ・２ｈが骨組みされている。これらの垂直部材２ｖは、等間隔に配置されている。又、一対の水平部材２ｈ・２ｈは、複数の垂直部材２ｖを掛け渡すように支持している。更に、両翼の水平部材２ｈ・２ｈは、一組の柱脚１ｂ・１ｃと略同じ高さに伸びて、複数の有刺鉄線２ｗを水平方向に配置している。
【００２１】
図１を参照すると、開閉式門扉２０は、その一方の片翼が柱脚１ｂに一対のヒンジ２ｔ・２ｔで連結されており（図２参照）、開閉することできる。又、開閉式門扉２０は、その他方に打掛錠２ｋを配置している。
【００２２】
図１を参照すると、打掛錠２ｋに設けたハンドルを一方の方向に回転すると、開閉式門扉２０を柱脚１ｃに係止できる。打掛錠２ｋに設けたハンドルを他方の方向に回転すると、開閉式門扉２０と柱脚１ｃの係合が解除されて、開閉式門扉２０を開閉できる。図示された開閉式門扉２０は、南京錠２ｊで施錠され、不要な通行を阻止している。
【００２３】
図１を参照すると、積雪量が一定以上になると、開閉式門扉２０を開閉することが困難になる。そこで、分割式門扉１０を開門して、積雪量に対応して、分割式門扉１０から通行することが可能になる。
【００２４】
［分割式門扉の構成］
次に、本発明の一実施形態による分割式門扉１０の構成を説明する。図２は、前記実施形態による分割式門扉の構成を示す正面図である。図３は、前記実施形態による分割式門扉の構成を示す斜視図である。
【００２５】
図２又は図３を参照すると、分割式門扉１０は、高さ方向に積み重ねられた複数の柵状の分割扉本体１１・１２・１３を備えている。これらの分割扉本体１１・１２・１３は、門柱となる一組の柱脚１ａ・１ｂの間に配置されている。一組の柱脚１ａ・１ｂは、人や乗り物などが通行できるように、所定の通行幅を設けている。
【００２６】
図２又は図３を参照すると、分割扉本体１１・１２・１３は、同様に構成されている。したがって、上段の分割扉本体１１を代表して、以下に構成を説明することがある。分割扉本体１１は、複数の垂直部材１ｖと一対の水平部材１ｈ・１ｈが骨組みされている。これらの垂直部材１ｖは、等間隔に配置されている。又、一対の水平部材１ｈ・１ｈは、複数の垂直部材１ｖを掛け渡すように支持している。
【００２７】
図２又は図３を参照すると、下段の分割扉本体１３と中段の分割扉本体１２は、締結手段となる一対の蝶ねじ１ｎ・１ｎで締結されている。一対の蝶ねじ１ｎ・１ｎを回転して、締結を解除すると、分割扉本体１３と分割扉本体１２を分離できる。同様に、中段の分割扉本体１２と上段の分割扉本体１１は、締結手段となる一対の蝶ねじ１ｎ・１ｎで締結されている。一対の蝶ねじ１ｎ・１ｎを回転して、締結を解除すると、分割扉本体１２と分割扉本体１１を分離できる。
【００２８】
図２又は図３を参照すると、分割式門扉１０は、凹字状の取り付け部材１４を更に備えている。取り付け部材１４は、角パイプなどで形成された水平部材１４ｈと角パイプなどで形成された一対の垂直部材１４ｖ・１４ｖで構成している。一対の垂直部材１４ｖ・１４ｖは、水平部材１４ｈの両端部に結合されている。そして、一対の垂直部材１４ｖ・１４ｖの間には、複数の有刺鉄線３ｗと連設するように、複数の有刺鉄線１ｗを配置している。
【００２９】
図２又は図３を参照すると、上段の分割扉本体１１と取り付け部材１４は、それらの水平部材１ｈ・水平部材１４ｈが、締結手段となる一対の蝶ねじ１１ｎ・１１ｎで締結されている。一対の蝶ねじ１１ｎ・１１ｎを回転して、締結を解除すると、上段の分割扉本体１１と取り付け部材１４を分離できる。
【００３０】
図２又は図３を参照すると、分割式門扉１０は、複数の帯板状の案内部材１ｇを備えている。これらの案内部材１ｇは、一組の柱脚１ａ・１ｂの長手方向に沿って、断続的（規則的）に配置されている。
【００３１】
図２又は図３を参照すると、一対の案内部材１ｇ・１ｇは、それらの一端部が対向するように一組の柱脚１ａ・１ｂの側壁に固定され、それらの他端部が一組の柱脚１ａ・１ｂの側壁から突出している。そして、これらの対を成す案内部材１ｇ・１ｇは、複数の分割扉本体１１・１２・１３をスライド可能に案内できる。
【００３２】
図２又は図３を参照すると、分割扉本体１１・１２・１３は、一対のカンヌキ装置１５・１５を両翼にそれぞれ備えている。カンヌキ装置１５は、水平方向に配置されたカンヌキ棒１５ａと、カンヌキ棒１５ａをスライド可能に支持する一対の支持金具１５ｂ・１５ｂを有している。
【００３３】
図２又は図３を参照すると、カンヌキ棒１５ａは、把持可能なレバー棒１５ｃを中間部に突出している。レバー棒１５ｃを把持して、カンヌキ棒１５ａを一組の柱脚１ａ・１ｂに向かって移動すると、一方の支持金具１５ｂにレバー棒１５ｃが当接して、停止する。一方、レバー棒１５ｃを把持して、カンヌキ棒１５ａを一組の柱脚１ａ・１ｂから離反する方向に移動すると、他方の支持金具１５ｂにレバー棒１５ｃが当接して、停止する。
【００３４】
図２又は図３を参照すると、一組の柱脚１ａ・１ｂには、カンヌキ棒１５ａの先端部が挿入可能な係合穴１５１を開口した係合片１５ｄを備えている。一対のカンヌキ棒１５ａ・１５ａを一組の柱脚１ａ・１ｂに向かって移動すると、一対のカンヌキ棒１５ａが係合片１５ｄに支持されて、分割扉本体１１・１２・１３をそれぞれ所定の高さに停止できる。
【００３５】
一方、図２又は図３を参照すると、一対のカンヌキ棒１５ａ・１５ａを一組の柱脚１ａ・１ｂから離反する方向に移動すると、一対のカンヌキ棒１５ａが係合片１５ｄの係合が解除されて、分割扉本体１１・１２・１３を引き上げる方向にそれぞれスライドできる。
【００３６】
図２又は図３を参照すると、カンヌキ棒１５ａは、施錠片１５ｅを基端部に固定している。他方の支持金具１５ｂと施錠片１５ｅが近接した状態で、錠装置となる南京錠１６で鎖錠できる。最上段の分割扉本体１１に設けた他方の支持金具１５ｂと施錠片１５ｅを南京錠１６で鎖錠すると、分割扉本体１１・１２・１３を引き上げることを防止できる。
【００３７】
［分割式門扉の作用］
次に、実施形態による分割式門扉１０の操作方法を説明しながら、分割式門扉１０の作用及び効果を説明する。
【００３８】
図４は、前記実施形態による分割式門扉の正面図であり、最上段の分割扉本体を取り外した状態図である。図５は、前記実施形態による分割式門扉の正面図であり、最下段より上の分割扉本体を取り外した状態図である。
【００３９】
図４を参照すると、中段の分割扉本体１２を少し越える程度に、雪Ｓが積っている。この場合、図２又は図３を参照して、一対の蝶ねじ１ｎ・１ｎを回転して、分割扉本体１２と分割扉本体１１とを、分離可能に締結を解除しておく。次に、南京錠１６を最上段のカンヌキ装置１５から取り外すと共に、分割扉本体１１に設けた一対のカンヌキ棒１５ａ・１５ａを一組の柱脚１ａ・１ｂから離反する方向に移動して、取り付け部材１４と共に分割扉本体１１を引き上げる。これにより、雪かきすることなく、分割式門扉１０から人や乗り物などが通行できる。
【００４０】
図５を参照すると、下段の分割扉本体１３を少し越える程度に、雪Ｓが積っている。この場合、図４を参照して、一対の蝶ねじ１ｎ・１ｎを回転して、分割扉本体１３と分割扉本体１２とを、分離可能に締結を解除しておく。次に、中段の分割扉本体１２に設けた一対のカンヌキ棒１５ａ・１５ａを一組の柱脚１ａ・１ｂから離反する方向に移動して、分割扉本体１２を引き上げる。これにより、雪かきすることなく、分割式門扉１０から人や乗り物などが通行できる。
【００４１】
このように、実施形態による分割式門扉１０は、外柵１００の一部に設置された複数の分割扉本体１１・１２・１３が高さ方向に分割して取り外せるように、複数の分割扉本体１１・１２・１３を一対の柱脚の間にスライド可能に連結することにより、積雪量に対応して、雪かきすることなく、分割式門扉１０を人や乗り物などが通行できる。
【００４２】
実施形態による分割式門扉１０は、図４又は図５に示された使用形態に限定されない。例えば、図５に示された下段の分割扉本体１３は、最上段の位置に取り付けることができ、この場合、有刺鉄線１ｗを有する取り付け部材１４（図２又は図３参照）を下段の分割扉本体１３に固定しておくこともでき、分割扉本体１３の下を人や乗り物などが通行できる。
【００４３】
又、実施形態による分割式門扉１０は、分割扉本体を三段に構成したが、これに限定されない。分割扉本体は、ニ段に構成してもよく、三段以上に構成することも可能である。更に、実施形態による分割式門扉１０は、最上段の分割扉本体と門柱を施錠するように構成したが、各分割扉本体を門柱に施錠するように構成してもよい。
【００４４】
実施形態による分割式門扉１０は、既存の門柱を利用することができ、従来のスライド式門扉のように、門柱を太くするなどの工事を不要とする。実施形態による分割式門扉１０は、改造が小規模であり、積雪量に対応可能な安価な門扉を提供できる。
【符号の説明】
【００４５】
１ａ・１ｂ・１ｃ・１ｄ  柱脚（門柱）
１ｇ  案内部材
１ｖ  垂直部材
１ｈ  水平部材
１ｎ  蝶ねじ（締結手段）
１０  分割式門扉
１１・１２・１３  分割扉本体
１００  外柵
【図１】
2013019253.tif 000003
【図２】
2013019253.tif 000004
【図３】
2013019253.tif 000005
【図４】
2013019253.tif 000006
【図５】
2013019253.tif 000007